(57)【要約】【課題】スライドのガタが生じにくくすると共に、ガタが生じても容易に再調整できる眼科装置を提供すること。【解決手段】直動レール機構を備える眼科装置において、直動レール機構は基台に対して移動台を第１方向に移動可能とするための固定レールと固定レールに回転体を挟んで対面する可動レールとを備え、基台と固定レールとを固定用ネジで固定可能にする一方で、基台又は固定レールの一方には固定用ネジとは別に設けた押しネジをねじ込み、基台又は固定レールの他方のそれぞれが接する面には可動レールの方向に傾斜した傾斜面を設け、押しネジの先端を傾斜面に当てることによって隙間及び与圧を調整する与圧調整機構を構成する。【選択図】      図４
2004201993.tif 000002
【特許請求の範囲】
【請求項１】
検眼部を搭載する移動台を基台に対して水平移動可能にする直動レール機構を備える眼科装置において、前記直動レール機構は基台に対して移動台を第１方向に移動可能とするための固定レールと該固定レールに回転体を挟んで対面する可動レールとを備え、基台と固定レールとを固定用ネジで固定可能にする一方で、基台又は固定レールの一方には前記固定用ネジとは別に設けた押しネジをねじ込み、基台又は固定レールの他方のそれぞれが接する面には可動レールの方向に傾斜した傾斜面を設け、前記押しネジの先端を前記傾斜面に当てることによって両レールと回転体との隙間及び与圧を調整する与圧調整機構を構成したことを特徴とする眼科装置。
【請求項２】
請求項１の眼科装置において、さらに前記直動レール機構は基台に対して移動台を前記第１方向に直交する第２方向に移動可能とするための固定レールと該固定レールに回転体を挟んで対面する可動レールとを備え、この第２方向にも両レールと回転体との隙間及び与圧を調整する与圧調整機構を構成したことを特徴とする眼科装置。
【発明の詳細な説明】
【０００１】
【発明の属する技術分野】
本発明は、眼鏡店、眼科医院等で使用される眼科装置に関する。
【０００２】
【従来技術】
直動レール２本を互いに平行に並べ、その間に、ボール（鋼球）やコロ等の回転体を入れ、２本の直動レールを相対的に移動させる直動レール機構がある。眼科装置の測定部を水平方向へ移動するために、この直動レールをＸＹ方向にそれぞれ配置したものがある（例えば、特許文献１参照。）。
【０００３】
【特許文献１】
特許公報３１６４２３４号（第２頁、第１、２図）
【０００４】
【発明が解決しようとする課題】
このような２本の直動レールを用いたスライド機構では、使用しているうちに直動レールの取り付けが緩み、スライドのガタが生じてしまうという問題があった。
【０００５】
また、スライドのガタ取りのために、レールの隙間及び与圧調整をする機構を別部品として設ける装置もあるが、装置が大型化してしまい、部品点数が多くなるため製品のコストアップになってしまうという問題があった。また、レールの隙間及び与圧調整をする機構を設けないで、レールの隙間及び与圧の調整をする調整冶具を用いる方法もあるが、ユーザーが装置を使用している現地に調整冶具がなければガタ取りの調整をできないという問題があった。
【０００６】
また、ズレ防止のために、調整冶具を用いてガタ取りの調整をしてレール組付けた後に、レールとレールを取付けた部材に両者組み付けた状態で両者に貫通する貫通穴を加工し、その貫通穴にノックピンを打ち込んでレールのズレを防止する方法もあるが、穴加工やノックピンを打ち込む工程が増え、作業管理面での複雑さが問題であった。
【０００７】
本発明は、上記従来技術に鑑み、スライドのガタが生じにくくすると共に、ガタが生じても容易に再調整できる眼科装置を提供することを技術課題とする。
【０００８】
【課題を解決するための手段】
上記課題を解決するために、本発明は以下のような構成を備えることを特徴とする。
【０００９】
（１）  検眼部を搭載する移動台を基台に対して水平移動可能にする直動レール機構を備える眼科装置において、前記直動レール機構は基台に対して移動台を第１方向に移動可能とするための固定レールと該固定レールに回転体を挟んで対面する可動レールとを備え、基台と固定レールとを固定用ネジで固定可能にする一方で、基台又は固定レールの一方には前記固定用ネジとは別に設けた押しネジをねじ込み、基台又は固定レールの他方のそれぞれが接する面には可動レールの方向に傾斜した傾斜面を設け、前記押しネジの先端を前記傾斜面に当てることによって両レールと回転体との隙間及び与圧を調整する与圧調整機構を構成したことを特徴とする。
【００１０】
（２）  （１）の眼科装置において、さらに前記直動レール機構は基台に対して移動台を前記第１方向に直交する第２方向に移動可能とするための固定レールと該固定レールに回転体を挟んで対面する可動レールとを備え、この第２方向にも両レールと回転体との隙間及び与圧を調整する与圧調整機構を構成したことを特徴とする。
【００１１】
【発明の実施の形態】
本発明は患者眼を観察、撮影、検査する眼科装置に適用できるが、ここでは眼科装置の一例として眼底カメラを例にとり、以下、本発明の実施形態を図面に基づいて説明する。図１は眼底カメラ本体１の外観図を示し、図１（ａ）は側面図、図１（ｂ）は検者側から見た時の正面図である。
【００１２】
眼底カメラ本体１全体を支える基台１０の被検者側には顔支持ユニット１１が取り付けられ、基台１０の上部には前後左右に移動可能な移動台１２が取り付けられている。基台１０と移動台１２の間には移動台１２を基台１２に対して水平方向に移動させる移動機構２０が設けられている。移動台１２には眼底を照明する照明光学系、眼底を観察する観察光学系、眼底を撮影する撮影光学系等の光学系を収納した測定部１３が上下移動可能に搭載されている。測定部１３の検者側にはモニタ１６、操作パネル部１５が配置されている。移動台１２の前後左右の移動と測定部１３の上下移動は、移動台１２の検者側に設けられたジョイスティック１４の操作により行われる。ジョイスティック１４の頂部には撮影スイッチ１４ａが設けられている。
【００１３】
次に、移動機構２０の構成について、図２を用いて説明する。移動台１２は支持板１８に固定されている。２１は支持板１８に取付けネジ３１によりネジ止めされ、被検眼に対して左右方向（図２の紙面に対して垂直方向）に平行に延びる２本の固定レールである。各固定レール２１は、リテーナ２５に保持された複数の回転体である鋼球２２を介して中間支持体２３の可動レール２３ａに支持されており、移動台１２と共にその上に載置されている測定部１３を被検眼に対して相対的に左右方向に移動することができる。
【００１４】
さらに、中間支持体２３の可動レール２３ｂは、基台１０上に取付けネジ３１によりネジ止めされた２本の固定レール２４に鋼球２２を介して支持されている。固定レール２４は被検眼に対して前後方向（固定レール２１と直交する方向）に平行に延びており、中間支持体２３は固定レール２４に案内されて、基台１２に対して被検眼の前後方向に移動することができる。
【００１５】
検者は、上記の移動機構２０により測定部１３の患者左右眼の切替え移動、及び測定部１３の患者眼に対するアライメント動作をすることができる。
【００１６】
次に、上記の構成における移動機構２０の固定レール２１、２４と可動レール２３ａ、２３ｂ間の隙間及び与圧の調整方法を図３、図４を用いて説明する。図３は図２におけるＡＡ断面、図４は図２におけるＢＢ断面を示す。
【００１７】
図３に示すように、固定レール２４を取付けネジ３１によって、単に締付けるだけでは、固定レール２４のネジ穴２４ａが取付けネジ３１の外径３１ａよりも大きめに加工されているため、固定レール２４と鋼球２２間に隙間ｄが生じて直動にガタが発生してしまう。このため、与圧荷重Ｐを固定レール２４に可動レール２３ａ方向に加えて直動の作動出しを行わなければならない。本発明の与圧荷重Ｐを加える方法を図４を用いて説明する。２本の固定レール２４のうち、片側１本の固定レール２４は、基台１０にノックピン４５で位置決めされ、取付けネジ３１でネジ止めされている。また、もう一方の固定レール２４と接する部分の基台１０上面には、皿モミ１０ａが設けられている。皿モミ１０ａは言うまでもないが、可動レールの方向に傾斜した傾斜面を有している。固定レール２４には先端が皿モミ１０ａの傾斜面と同じ角度の形状、もしくは皿モミ１０ａの傾斜面を滑る形状をした押しネジ４１がねじ込まれている。この同じ側の固定レール２４を固定する取付けネジ３１を少し緩めた状態で、押しネジ４１をねじ込むと先端部４１ａが皿モミ１０ａの可動レールの方向に傾斜した傾斜面から反力Ｋを受けて、図３に示す隙間ｄをなくし、与圧を加える方向Ｍに固定レール２４が移動する。中間支持体２３をスライドさせてみて、ガタがなく、かつスムーズな動きがでるところで、取付けネジ３１を締め込んで固定する。また、固定レール２４とは直交する固定レール２１と中間支持体２３の作動出しについても同様に行う。この調整方法を用いれば、押しネジ４１が、固定レール２４と基台１０を固定するノックピン４５と同様な役目も果たすので、固定レール２４がズレにくく、ガタが発生しにくい。また、新規な部品を追加することなく、コストも低く抑えた方法でレールのガタどりの調整を行うことができる。たとえ、何らかの原因でガタが生じても、調整機構を備える形態となっているので現地で容易に再調整することができる。
【００１８】
上記実施の形態では、皿モミ１０ａを基台１０や支持板１８の固定部材側に加工し、固定レール２１、２４側に押しネジ４1をねじ込んで調整する機構としたが、これとは逆に、皿モミを固定レール２１、２４側に加工し、基台１０や支持板１８の固定部材側に押しネジ４1をねじ込んでもよい。
【００１９】
【発明の効果】
以上説明したように、本発明によれば、スライドのガタが生じにくくすると共に、ガタが生じても容易に再調整できる。
【図面の簡単な説明】
【図１】本発明に係る眼底カメラの外観図である。
【図２】移動機構の構成を示す図である。
【図３】移動機構の構成、調整方法を説明する図である。
【図４】移動機構の構成、調整方法を説明する図である。
【符号の説明】
１  眼底カメラ本体
１０  基台
１０ａ  皿モミ
１２  移動台
１３  測定部
２０  移動機構
２１  固定レール
２２  鋼球
２３  中間支持体
２３ａ  可動レール
２３ｂ  可動レール
２４  固定レール
３１  取付けネジ
４１  押しネジ
【図１】
2004201993.tif 000003
【図２】
2004201993.tif 000004
【図３】
2004201993.tif 000005
【図４】
2004201993.tif 000006